(57)【要約】【課題】表札の照明を長手方向に亘って一様に行いやすく、且つ投函箱の内部の照明も行うことができる郵便受けユニットを提案する。【解決手段】本発明の郵便受けユニット１００は、前面に投入口１２が設けられた投函箱１と、投函箱１に設けられた照明装置２と、投函箱１の上方に設けられた表札６と、を備える。表札６は、下端面６０に入射面６１を有し後面６２に反射部６３を有する光透過性部材によって構成される。照明装置２は、投函箱１の内部に設けられる光源３をなすＬＥＤ照明３０と、導光部材４と、を有する。導光部材４は、投函箱１の左右方向に対して長手方向が平行になるように配置され、光源３から発せられた光を長手方向の一端から取り込み、この取り込んだ光を投函箱１の上方の表札６と投函箱１の内部に向かって出射するように構成されている。【選択図】図１
2015066284.tif 000002
【特許請求の範囲】
【請求項１】
前面に投入口が設けられた投函箱と、
前記投函箱に設けられた照明装置と、
前記投函箱の上方に設けられた表札と、を備え、
前記表札は、
下端面に入射面を有し後面に反射部を有する光透過性部材によって構成され、
前記照明装置は、
前記投函箱の内部に設けられる光源をなすＬＥＤ照明と、
前記投函箱の左右方向に対して長手方向が平行になるように配置され、前記光源から発せられた光を長手方向の一端から取り込み、この取り込んだ光を前記投函箱の上方の前記表札と前記投函箱の内部に向かって出射するように構成された導光部材と、を有することを特徴とする郵便受けユニット。
【請求項２】
前記照明装置は、前記導光部材の内部に取り込んだ光を、前記導光部材の長手方向の前記光源側とは反対側の他端から出射することで、前記投函箱の内部を照らすものであることを特徴とする請求項１に記載の郵便受けユニット。
【請求項３】
前記投函箱は、その上下長さが建築用コンクリートブロック１．５個分の上下長さと同じであることを特徴とする請求項１または２に記載の郵便受けユニット。
【発明の詳細な説明】
【技術分野】
【０００１】
本発明は、郵便受けユニットに関し、特に、表札と照明装置と投函箱とを備えた郵便受けユニットに関する。
【背景技術】
【０００２】
特許文献１には、ＬＥＤ照明ユニットを備えた郵便ポストが開示されている。
【０００３】
この郵便ポストでは、ＬＥＤ照明ユニットはポスト前面のうち投函口の上下や表示板を照らしている。ＬＥＤ照射ユニットは、その長手方向に複数個のＬＥＤ照明を互いに間隔を置いて配置して構成される。
【先行技術文献】
【特許文献】
【０００４】
【特許文献１】特開２００４−４９５８７号公報
【発明の概要】
【発明が解決しようとする課題】
【０００５】
特許文献１の郵便ポストでは、ＬＥＤ照射ユニットがその長手方向に複数個のＬＥＤ照明を互いに間隔を置いて配置したものであるため、ＬＥＤ照明毎の色のばらつき等によって、表示板の照明を長手方向に亘って一様に行うことが難しいおそれがあった。
【０００６】
また、特許文献１の郵便ポストでは、ＬＥＤ照明ユニットによってポスト内部まで照明を行うことができなかった。
【０００７】
上記事情を鑑みて、本発明は、表札の照明を長手方向に亘って一様に行いやすく、且つ投函箱の内部の照明も行うことができる郵便受けユニットを提案することを課題とする。
【課題を解決するための手段】
【０００８】
上記課題を解決するために本発明の郵便受けユニットは、前面に投入口が設けられた投函箱と、前記投函箱に設けられた照明装置と、前記投函箱の上方に設けられた表札と、を備え、前記表札は、下端面に入射面を有し後面に反射部を有する光透過性部材によって構成され、前記照明装置は、前記投函箱の内部に設けられる光源をなすＬＥＤ照明と、前記投函箱の左右方向に対して長手方向が平行になるように配置され、前記光源から発せられた光を長手方向の一端から取り込み、この取り込んだ光を前記投函箱の上方の前記表札と前記投函箱の内部に向かって出射するように構成された導光部材と、を有することを特徴とする。
【０００９】
また、前記照明装置は、前記導光部材の内部に取り込んだ光を、前記導光部材の長手方向の前記光源側とは反対側の他端から出射することで、前記投函箱の内部を照らすものであることが好ましい。
【００１０】
また、前記投函箱は、その上下長さが建築用コンクリートブロック１．５個分の上下長さと同じであることが好ましい。
【発明の効果】
【００１１】
本発明の郵便受けユニットでは、照明装置を、従来例のような複数のＬＥＤ照明を用いるものではなく、光源をなすＬＥＤ照明から発せられた光を導光部材の長手方向の一端から取り込んで、この光を投函箱の上方に出射するものとしている。そのため、本発明の郵便受けユニットでは、ＬＥＤ照明毎の色のばらつき等の問題を回避でき、表札の照明を長手方向に亘って一様に行いやすいものとなっている。また、本発明の郵便受けユニットは、導光部材から出射される光を表札内に取り込んで、この光を表札の後面の反射部で反射させることができ、これにより、表札を全体的に照明しやすいものとなっている。また、本発明の郵便受けユニットは、導光部材を、取り込んだ光を投函箱の内部にも出射するように構成したことで、投函箱の内部の照明も行うことができる。
【図面の簡単な説明】
【００１２】
【図１】本発明の第一実施形態の郵便受けユニットを示し、（ａ）は概略斜視図であり、（ｂ）は概略側断面図である。
【図２】同上の郵便受けユニットの照明装置を示し、（ａ）は分解斜視図であり、（ｂ）は組立状態の斜視図である。
【図３】本発明の第二実施形態の郵便受けユニットを示し、（ａ）は概略斜視図であり、（ｂ）は概略側断面図である。
【発明を実施するための形態】
【００１３】
以下、本発明の実施形態について添付図面に基づいて説明する。
【００１４】
本発明の第一実施形態の郵便受けユニット１００は、図１（ａ）に示すように、投函箱１と、この投函箱１に設けられた照明装置２と、投函箱１の上方に配置される表札６と、を備える。以下では、図１（ａ）に示す状態を基準とし、矢印Ａ１で示す方向を左右方向とし、矢印Ａ２で示す方向を前後方向とし、矢印Ａ３で示す方向を上下方向として、各構成について説明する。投函箱１は、前面に投入口１２が設けられ後面に取出口１３が設けられている。
【００１５】
郵便受けユニット１００は、門柱５に取り付けられる。門柱５は、例えば、ＪＩＳ  Ａ５４０６等に規定されている建築用コンクリートブロック（以下「ブロック」という）を積み重ねて構成されたコンクリートブロック塀である。門柱５は、郵便受けユニット１００の投函箱１を取り付けるための取付孔５１を有している。ブロックは、例えば、縦寸法１９０ｍｍ、横寸法３９０ｍｍの規格寸法を持つコンクリートブロックである。
【００１６】
投函箱１は、例えば、金属製である。投函箱１は、図１（ｂ）に示すように、門柱５に取り付けられた状態で門柱５の前面５０よりも前方に突出する前面部１０と、門柱５の内部に埋め込まれる投函箱本体１１とを有する。投函箱本体１１は、郵便物７が主に収納される収納部１１０と、収納部１１０の上部から前方に向けて突出した突出部１１１とを有する。突出部１１１の前面に前面部１０が設けられている。収納部１１０と突出部１１１は連通している。収納部１１０は、突出部１１１よりも上下長さが長い。また、前面部１０は、突出部１１１よりも上下長さが長い。投函箱本体１１は、突出部１１１全体と収納部１１０の前部とが門柱５の内部に埋め込まれる。そして、投函箱本体１１は、収納部１１０の後部が門柱５の後面５２よりも後方に突出させて配置される。
【００１７】
投函箱１は、例えば、投函箱本体１１の収納部１１０の上下長さＬ１が、ブロック１．５個分の上下長さ（２８５ｍｍ）と同じ上下長さとなるように形成される。ここでいうブロック１．５個分の上下長さと同じ上下長さＬ１とは、ブロック１．５個分の上下長さよりも僅かに短い略同じ上下長さも含む。なお、収納部１１０の上下長さＬ１は、ブロック１個分の上下長さ（１９０ｍｍ）と同じ上下長さであってもよいし、ブロック２個分の上下長さ（３８０ｍｍ）と同じ上下長さであってもよい。収納部１１０をブロック１．５個分のサイズとすることで、ブロック１個分のサイズのものに比べて収納量を増加させることができ、また、ブロック２個分のサイズのものに比べて、製造コストを安く抑えることができる。
【００１８】
投函箱１は、前面部１０に投入口１２と投入口１２を開閉する第一開閉蓋１４とを有する。この前面部１０の内部に照明装置２が設けられている。投入口１２は、前面部１０を前後方向に貫通する開口であって、左右方向を長手方向とする矩形状の開口である。第一開閉蓋１４は、その上端部が前面部１０に回転自在に取り付けられている。
【００１９】
また、投函箱１は、収納部１１０の後面部１５に、取出口１３と取出口１３を開閉する第二開閉蓋１６とを有している。取出口１３は、後面部１５を前後方向に貫通する開口であって、後面部１５全体に亘って設けられる。第二開閉蓋１６は、その上端部が後面部１５に回転自在に取り付けられている。
【００２０】
収納部１１０には、図１（ｂ）に示すように、投函された郵便物７を収納部１１０の底面から離して配置させる受け板１７と、照明装置２の照明のオンオフを制御する制御器８と、制御器８を収納部１１０の内部に対して隠すカバー板１８とが設けられている。カバー板１８は、収納部１１０から突出部１１１に亘って設けられる。
【００２１】
制御器８は、例えば、郵便受けユニット１００の周囲（門柱５の周囲）の暗さを検知して、ある一定以上暗い場合に、照明装置２をオンにし、それ以外の場合に、照明装置２をオフにするように、照明装置２の照明のオンオフを自動制御する。制御器８は、有線または無線によって照明装置２と接続されている。制御器８と照明装置２は、例えば、外部の電源から電力を得て駆動する。なお、制御器８及び照明装置２は、電池から電力を得て駆動するものであってもよい。
【００２２】
照明装置２は、図２（ｂ）に示すように、光源３をなすＬＥＤ照明３０と、長尺な導光部材４と、導光部材４にＬＥＤ照明３０を取り付ける取付部材９と、ＬＥＤ照明３０を覆うカバー材９３と、を有する。導光部材４は、光源３から発せられた光を長手方向の一端から取り込み、この取り込んだ光を導光部材４の上方と導光部材４の長手方向の他端から出射するように構成されている。
【００２３】
図２（ａ）には、照明装置２の分解斜視図を示している。本実施形態では、ＬＥＤ照明３０は１つであり、取付部材９とカバー材９３とで挟まれて導光部材４の長手方向の一端に取り付けられる。
【００２４】
導光部材４は、導光体４０、反射カバー４１、及び照明カバー４２を有する。導光体４０は、光透過性を有する長尺な棒状の部材であり、例えばアクリルで形成される。導光体４０は、長手方向に亘って断面形状が一様である。
【００２５】
反射カバー４１は、導光体４０の外形と略同形状であり、長手方向に亘って断面形状が一様であり、断面形状が上方に向けて開口する溝状（略Ｕ字状）である。反射カバー４１は、導光体４０側の面である内面が光反射面となっている。反射カバー４１は、白色の樹脂やアルミニウムまたはステンレスなどのように反射率が高い素材によって構成されたものである。
【００２６】
反射カバー４１は、導光体４０の長手方向に沿った面のうち上面４００を除く面全体を、長手方向に亘って覆う。本実施形態では、反射カバー４１は、導光体４０の長手方向の一端面４０１（ＬＥＤ照明３０側の端面）と、長手方向の他端面４０２（ＬＥＤ照明３０側とは反対側の端面）とを覆わないように構成されている。
【００２７】
反射カバー４１は、光源３から導光体４０に取り込まれた光を乱反射させて拡散させて、この光を導光体４０の上面４００から出射させ、且つ、導光体４０の長手方向の他端面４０２から出射させる。つまり、本実施形態では、導光体４０は、上面４００が第一出射面となっており、長手方向の他端面４０２が第二出射面となっている。なお、導光体４０は、長手方向の一端面４０１が入射面となっている。反射カバー４１は、導光体４０の上面４００から出射する光の量を、長手方向に亘って略一定となるように光を反射させるものであることが好ましい。
【００２８】
照明カバー４２は、長手方向に亘って断面形状が一様であり、断面形状が下方（導光体４０側）に向けて開口する溝状（略Ｕ字状）である。照明カバー４２は、導光体４０を長手方向に亘って上方から覆う。照明カバー４２は、光透過性を有する。照明カバー４２は、例えば、導光体４０の上面４００から出射された光を、上面４２０に通過させて、上方に拡散させて出射させる。なお、照明カバー４２は、導光体４０の上面４００から出射された光を拡散させずに上面４２０からそのまま出射させるものであってもよい。
【００２９】
取付部材９は、環状のフランジ部９１と、フランジ部９１から突出した円筒状のガイド部９０とを有する。取付部材９は、フランジ部９１にＬＥＤ照明３０が取り付けられ、ガイド部９０の突出端（フランジ部９１側とは反対側の端部）が導光部材４の長手方向の一端（例えば、反射カバー４１の長手方向の一端）に取り付けられる。フランジ部９１に取り付けられたＬＥＤ照明３０からの光は、ガイド部９０の内周面に反射して、導光体４０へガイドされる。本実施形態では、取付部材９は、ＬＥＤ照明３０からの光が外部に漏れださないように非透明な部材で形成されている。
【００３０】
カバー材９３は、ＬＥＤ照明３０が装着されたフランジ部９１に取り付けられて、ＬＥＤ照明３０を覆う。カバー材９３は、図示しないねじ等の固定具を用いて前面部１０に固定される。
【００３１】
図２（ｂ）に示す照明装置２では、ＬＥＤ照明３０が点灯されると、ＬＥＤ照明３０から出射された光が、導光体４０の長手方向の一端面４０１から入射され、導光体４０に入射された光が反射カバー４１によって乱反射されて拡散される。そして、反射カバー４１によって拡散された光は、導光体４０の上面４００から出射され、上面４００から出射された光は、照明カバー４２の上面４２０を通過して、上面４２０から上方に向けて出射される。そして、ＬＥＤ照明３０から導光体４０に入射された光のうち、上面４００から出射されなかった残りの光は、導光体４０の長手方向の他端面４０２から出射される。
【００３２】
照明装置２は、図１に示すように、前面部１０のうち投入口１２よりも上方の部位、つまり、前面部１０の上端部に内蔵される。照明装置２は、導光部材４の長手方向が投函箱１（前面部１０）の左右方向に対して平行になるように配置される。前面部１０は、その上面１０１に上下方向に貫通する平面視矩形状の装着孔１０２が設けられている。照明装置２は、装着孔１０２を照明カバー４２で閉塞するように前面部１０に取り付けられる。そして、照明装置２は、導光体４０の長手方向の他端面４０２が前面部１０内の構成（例えば、前面部１０の側壁）によって閉塞されないように配置される。言い換えると、照明装置２は、導光体４０の長手方向の他端面４０２とこれに対向する前面部１０内の構成との間に光が漏れ出す隙間が形成されるように配置される。
【００３３】
表札６は、図１（ｂ）に示すように、下端面６０に入射面６１を有し後面６２に反射部６３を有する光透過性部材で構成されている。詳しくは、表札６は、略矩形板状であり、透明のアクリル樹脂等のプラスチックや透明なガラスで形成されている。そして、表札６の後面６２全体に反射部６３が形成されている。表札６の前後方向の厚みは、照明カバー４２の前後方向の厚みと略同じである。また、表札６の長手方向の長さは、照明カバー４２の長手方向の長さと略同じである。なお、表札６の前後方向の厚みは、照明カバー４２の前後方向の厚みよりも大きくてもよく、表札６の長手方向の長さは、照明カバー４２の長手方向の長さよりも長くてもよい。
【００３４】
反射部６３は、表札６の下端面６０から導入された光を屈折または散乱させることで、表札６の前面６４全体から光を出射させるためのものである。ここで、前面６４全体とは、前面６４の略全面も含む。つまり、前面６４には、光が出射されない部分が一部あってもよい。なお、反射部６３は、表札６の前面６４全体から均一な面発光を達成するものであることが好ましい。
【００３５】
反射部６３は、例えば、表札６の後面６２に形成された複数列の導光パターン（図示せず）で構成される。複数列の導光パターンは、後面６２に上下方向に亘って形成される。複数列の導光パターンは、例えば、入射面６１に近い部分では導光面積が疎となり、入射面６１から離れるにしたがって疎から密へと次第に変化するような面積比率となるように形成されている。これにより、入射面６１から取り入れられた光は複数列の導光パターンにより導光されて、表札６の前面６４全体から略均一な面発光が行われる。なお、前記導光パターンの生成方法としては、導光印刷以外にプリズム状凹凸を加工或いは成型する方法、或いは反射フィルムを貼着する方法等の従来周知の方法を採用することができる。
【００３６】
表札６は、前面６４に名字や名前等が印字されている。前面６４への印字は、印刷や彫刻等の従来周知の方法が採用される。
【００３７】
以上説明した照明装置２を内蔵した投函箱１は、門柱５の取付孔５１に取り付けられ、前面部１０が門柱５の前面５０よりも前側に突出させて配置される。そして、表札６は、照明装置２の照明カバー４２上に載せた状態で、門柱５の前面５０に取り付けられる。表札６の門柱５への取り付けは、接着やねじ止め等の従来周知の方法が採用される。なお、表札６は、照明カバー４２との間に僅かな隙間が形成されるように、門柱５の前面５０に取り付けてもよい。
【００３８】
上述のように郵便受けユニット１００を門柱５に設置することによって、照明装置２の照明カバー４２の上面４２０から出射される光を、投函箱１の前面部１０の上方に向けて、つまり、表札６に向けて出射することができる。ここで、本実施形態の郵便受けユニット１００では、ＬＥＤ照明３０からの光を導光部材４に導入して、導光部材４から光を出射するようにしている。そのため、本実施形態の郵便受けユニット２００では、従来例のような複数のＬＥＤ照明で構成される照明ユニットを備えるものと比べて、照明装置２によって長手方向に亘って一様に照明を行いやすいものとなっている。
【００３９】
そして、本実施形態の郵便受けユニット１００では、照明カバー４２から出射された光を、表札６の下端面６０の入射面６１から表札６の内部へ取り込んで、取り込んだ光を反射部６３によって反射させて、表札６の前面６４から出射させることができる。
【００４０】
そのため、本実施形態の郵便受けユニット１００では、表札６を内部から発光するように照明することができ、これにより、表札６の全体的な照明が行いやすいものとなっている。
【００４１】
また、本実施形態の郵便受けユニット１００では、導光体４０の長手方向の他端面４０２から出射される光を、この他端面４０２に対向する前面部１０内の構成に反射させる等して、投函箱１（投函箱本体１１）の内部を照らすことができる。このようにＬＥＤ照明３０から導光体４０に入射された光のうち、上面４００から出射されなかった残りの光を利用することで、本実施形態の郵便受けユニット１００は、投函箱１の前面部１０の上方を明るく照らしたうえで、投函箱１の内部も残りの光で照らすことができる。
【００４２】
続いて、図３に示す本発明の第二実施形態の郵便受けユニット２００について説明する。第一実施形態の郵便受けユニット１００と同様の構成については図中に同じ符号をつけて詳しい説明を省略する。以下では、図３（ａ）に示す状態を基準とし、矢印Ｂ１で示す方向を左右方向とし、矢印Ｂ２で示す方向を前後方向とし、矢印Ｂ３で示す方向を上下方向として、各構成について説明する。
【００４３】
本実施形態の郵便受けユニット２００は、略直方体状の投函箱１と、この投函箱１に設けられた照明装置２と、投函箱１の上方に配置された表札６と、を備える。投函箱１は、門柱５の前面５０に重ねて取り付けられる。照明装置２及び表札６は、図１及び図２に示す第一実施形態の照明装置２及び表札６と同じものである。
【００４４】
投函箱１は、その前面部２０１の上部に投入口１２が設けられ、前面部２０１の下部に取出口１３が設けられている。前面部２０１には、投入口１２を開閉する第一開閉蓋１４と、取出口１３を開閉する第二開閉蓋１６がそれぞれ回転自在に取り付けられている。投函箱１は、その後面部２０２の前面に制御器８が取り付けられている。本実施形態では、制御器８を投函箱１の内部に対して露出している。なお、投函箱１は、制御器８を投函箱１の内部に対して隠すカバー板を有するものであってもよい。
【００４５】
投函箱１は、その上面部２０３の後端部に装着孔１０２が形成されている。言い換えると、投函箱１は、上面部２０３のうち門柱５の前面５０に近い位置に装着孔１０２が形成されている。照明装置２は、装着孔１０２を照明カバー４２で閉塞するように、投函箱１の内部に取り付けられている。照明装置２は、導光部材４の長手方向が投函箱１の左右方向に対して平行になるように配置される。そして、照明装置２は、導光体４０の長手方向の他端面４０２が投函箱１内の構成（例えば、投函箱１の側壁）によって閉塞されないように配置される。言い換えると、照明装置２は、導光体４０の長手方向の他端面４０２とこれに対向する投函箱１内の構成との間に光が漏れ出す隙間が形成されるように配置される。
【００４６】
上述した照明装置２を内蔵した投函箱１は、門柱５の前面５０に重ねて取り付けられ、表札６は、照明装置２の照明カバー４２上に載せて、門柱５の前面５０に取り付けられる。なお、表札６は、照明カバー４２との間に僅かな隙間が形成されるように、門柱５の前面５０に取り付けてもよい。
【００４７】
上述のように郵便受けユニット２００を門柱５に設置することによって、照明装置２の照明カバー４２の上面４２０から出射される光を、投函箱１の上方に向けて、つまり、表札６に向けて出射することができる。ここで、本実施形態の郵便受けユニット２００では、ＬＥＤ照明３０からの光を導光部材４に導入して、導光部材４から光を出射するようにしている。そのため、本実施形態の郵便受けユニット２００では、従来例のような複数のＬＥＤ照明で構成される照明ユニットを備えるものと比べて、照明装置２によって長手方向に亘って一様に照明を行いやすいものとなっている。
【００４８】
そして、本実施形態の郵便受けユニット２００では、照明カバー４２から出射された光を、表札６の下端面６０の入射面６１から表札６の内部へ取り込んで、取り込んだ光を反射部６３によって反射させて表札６の前面６４から出射させることができる。
【００４９】
そのため、本実施形態の郵便受けユニット２００では、表札６を内部から発光するように照明することができ、これにより、表札６の全体的な照明が行いやすいものとなっている。
【００５０】
また、本実施形態の郵便受けユニット２００では、導光体４０の長手方向の他端面４０２から出射される光を、この他端面４０２に対向する投函箱１内の構成に反射させる等して、投函箱１の内部を照らすことができる。このようにＬＥＤ照明３０から導光体４０に入射された光のうち、上面４００から出射されなかった残りの光を利用することで、本実施形態の郵便受けユニット２００では、投函箱１の上方の表札６を明るく照らしたうえで、投函箱１の内部も残りの光で照らすことができる。
【００５１】
以上まとめると、本発明の実施形態の郵便受けユニットは、第一及び第二実施形態の郵便受けユニット１００，２００のように、前面に投入口１２が設けられた投函箱１と、投函箱１に設けられた照明装置２と、投函箱１の上方に設けられた表札６と、を備える。表札６は、下端面６０に入射面６１を有し後面６２に反射部６３を有する光透過性部材によって構成される。照明装置２は、投函箱１の内部に設けられる光源３をなすＬＥＤ照明３０と、導光部材４と、を有する。導光部材４は、投函箱１の左右方向に対して長手方向が平行になるように配置され、光源３から発せられた光を長手方向の一端から取り込み、この取り込んだ光を投函箱１の上方の表札６と投函箱１の内部に向かって出射するように構成されている。
【００５２】
このような構成とすることで、本発明の実施形態の郵便受けユニットでは、ＬＥＤ照明３０からの光を導光部材４に取り込み、この取り込んだ光を、導光部材４から投函箱１の上方の表札６に向けて出射することができる。これにより、本発明の実施形態の郵便受けユニットは、従来例のような複数のＬＥＤ照明を用いるものと比べて、長手方向に亘って一様に照明を行いやすいものとなっている。そして、本実施形態の郵便受けユニットでは、照明カバー４２から出射された光を、表札６の下端面６０から表札６の内部へ取り込んで、取り込んだ光を反射部６３によって反射させて表札６の前面６４から出射させることができる。そのため、本実施形態の郵便受けユニットでは、表札６を内部から発光するように照明することができ、これにより、表札６の全体的な照明が行いやすいものとなっている。また、本発明の実施形態の郵便受けユニットは、導光部材４を、取り込んだ光を投函箱１の内部にも出射するように構成したことで、投函箱１の上方だけでなく投函箱１の内部の照明も行うことができる。
【００５３】
また、本発明の実施形態の郵便受けユニットは、第一及び第二実施形態の郵便受けユニット１００，２００のように、照明装置２は、導光部材４の内部に取り込んだ光を、導光部材４の長手方向の光源３側とは反対側の他端から出射することで、投函箱１の内部を照らすものであることが好ましい。
【００５４】
このような構成とすることで、本発明の実施形態の郵便受けユニットでは、導光部材４の内部に取り込まれた光のうちの大部分を、投函箱１の上方の照明に利用でき、残りの光を、投函箱１の内部の照明に利用できる。これにより、本発明の実施形態の郵便受けユニットは、投函箱１の上方に配置される表札６等は明るく照らしたうえで、投函箱１から郵便物７を取り出すときだけに必要な投函箱１内部を照明する光も取得でき、ＬＥＤ照明３０からの光を効果的に利用できる。
【００５５】
また、本発明の実施形態の郵便受けユニットは、第一実施形態の郵便受けユニット１００のように、投函箱１は、その上下長さが建築用コンクリートブロック１．５個分の上下長さと同じであることが好ましい。
【００５６】
このような構成とすることで、本発明の実施形態の郵便受けユニットは、例えば、建築用コンクリートブロックを積み重ねて構成されたコンクリートブロック塀からなる門柱に、建築用コンクリートブロック１．５個分の取付孔５１を形成することで、設置することができる。
【００５７】
なお、上述した第一及び第二実施形態の郵便受けユニット１００，２００では、照明装置２を、導光部材４の内部に取り込まれた光を、導光部材４の光源３側とは反対側の他端から出射することで、投函箱１の内部を照らすものとしたが、これに限定されない。
【００５８】
例えば、照明装置２は、取付部材９を透明な部材で形成して、光源３（ＬＥＤ照明３０）と導光部材４の長手方向の一端面４０１との間から投函箱１の内部に向けて光を出射するものであってもよい。この場合、導光部材４の光源３側とは反対側の他端（他端面４０２）は閉塞して、この他端から光が出射されないようにしてもよい。なお、導光部材４の光源３側とは反対側の他端からも光が出射されるようにしてもよい。
【００５９】
また、他にも、照明装置２は、反射カバー４１の長手方向の一部を切り欠いて、導光部材４の長手方向の一部から、投函箱１の内部に向けて光が出射するものであってもよい。この場合、光源３（ＬＥＤ照明３０）と導光部材４の長手方向の一端面４０１との間や、導光部材４の光源３側とは反対側の他端からは光が出射されないようにしてもよい。なお、光源３と導光部材４の長手方向の一端面４０１との間や、導光部材４の光源３側とは反対側の他端からも光が出射されるようにしてもよい。
【００６０】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００６１】
１      投函箱
２      照明装置
３      光源
４      導光部材
６      表札
１２    投入口
３０    ＬＥＤ照明
６０    下端面
６１    入射面
６２    後面
６３    反射部
１００  郵便受けユニット
２００  郵便受けユニット
【図１】
2015066284.tif 000003
【図２】
2015066284.tif 000004
【図３】
2015066284.tif 000005